(57)【要約】【課題】互いに異なるシステムによる複数の信号を１台の機器で扱えるようにしたシステム変更装置を提供することにある。【解決手段】インタフェース１４にアナログ放送用の日時情報をデジタル放送用の日時情報に変換するためのパターン変換テーブルを記憶したメモリ１４１を設けておき、インタフェース１５にアナログ放送用の指示制御信号をデジタル放送用の指示制御信号に変換するためのパターン変換テーブルを記憶したメモリ１５１を設けておくことで、インタフェース１４，１５ではアナログ上位システム機器１３から出力される日時情報または指示制御信号を、パターン変換テーブルに従って、デジタル放送で統一されたデータフォーマットに変換するようにしている。【選択図】      図１
2007081996.tif 000002
【特許請求の範囲】
【請求項１】
既知のシステムによる運用に必要な第１の運用信号を処理する第１の信号処理部と、この第１の信号処理部に属するシステムより新らしいシステムによる運用に必要な第２の運用信号を処理する第２の信号処理部との間を接続し、第１の運用信号を第２の運用信号のデータフォーマットに変換し、または第２の運用信号を前記第１の運用信号のデータフォーマットに変換するシステム変換装置であって、
前記第１の運用信号を前記第２の運用信号に変換し、前記第２の運用信号を前記第１の運用信号に変換するために必要なパターン情報を記憶する記憶手段と、
前記記憶手段に記憶されたパターン情報に基づいて、前記第１の運用信号を前記第２の運用信号に変換し、または前記第２の運用信号を前記第１の運用信号に変換する変換処理手段とを具備したことを特徴とするシステム変換装置。
【請求項２】
前記記憶手段は、複数のパターン情報を前記第１及び第２の運用信号の処理内容を示す項目ごとに分類して記憶し、
前記変換処理手段は、前記第１の運用信号または前記第２の運用信号を入力して処理すべく項目を認識し、この項目に対応するパターン情報を前記記憶手段から読み出し、この読み出しパターン情報に基づいて、前記第１の運用信号を前記第２の運用信号に変換し、または前記第２の運用信号を前記第１の運用信号に変換することを特徴とする請求項１記載のシステム変換装置。
【請求項３】
前記記憶手段は、前記第１の運用信号に含まれる第１の日時情報を前記第２の運用信号に含まれる第２の日時情報に変換する場合に、前記第１の日時情報に予め決められた情報を追加することで前記第２の日時情報に変換するためのパターン情報を記憶することを特徴とする請求項１記載のシステム変更装置。
【請求項４】
前記第１の運用信号がアナログ放送用の音声信号に対し複数のモードのうちの１つを指定する第１の指定制御信号であり、前記第２の運用信号がデジタル放送用の音声信号に対し複数のモードのうちの１つを指定する第２の指定制御信号であり、互いにモード数が異なるとき、
前記記憶手段は、前記第１の指定制御信号を前記第２の指定制御信号に変換、または前記第２の指定制御信号を前記第１の指定制御信号に変換する場合に、前記アナログ放送用及びデジタル放送用で使用可能な共通モードを既定値として設定するためのパターン情報を記憶し、
前記変換処理手段は、前記第１の指定制御信号を前記第２の指定制御信号に変換、または前記第２の指定制御信号を前記第１の指定制御信号に変換する場合に、前記記憶手段に記憶されたパターン情報に基づいて、前記第１の指定制御信号のモードを前記既定値に変換し、または前記第２の指定制御信号を前記既定値に変換することを特徴とする請求項１記載のシステム変換装置。
【発明の詳細な説明】
【技術分野】
【０００１】
この発明は、放送局内において、例えばアナログ放送に対応するスタジオ機器とデジタル放送に対応するスタジオ機器とを接続し、アナログ放送信号のフォーマットをデジタル放送信号のフォーマットに変換し、またデジタル放送信号のフォーマットをアナログ放送信号のフォーマットに変換するためのシステム変換装置に関する。
【背景技術】
【０００２】
近年、地上波放送システムにおいて、デジタル放送が開始されている。このようなデジタル放送では、放送局用の機器やシステムとして、アナログ放送対応からデジタル技術の導入による番組制作のための放送局の設備までを含めたデジタル放送対応の移行期にある。この移行期において、アナログ放送とデジタル放送とが並存することになる。
【０００３】
ところが、上記放送局内には、アナログ放送用のスタジオ機器によるシステムとデジタル放送用のスタジオ機器によるシステムとが別々に存在することになる。このため、システムの構成が大掛かりなものになるとともに、設備コストが大きくなってしまう。
【０００４】
そこで、従来では、アナログ放送及びデジタル放送からなる同時放送の情報を上位放送局から下位放送局に配信する放送システムが提案されている（例えば、特許文献１）。
【特許文献１】特開２００３−３２２０８号公報。
【発明の開示】
【発明が解決しようとする課題】
【０００５】
ところが、上記放送システムでは、アナログ放送及びデジタル放送からなる同時放送の情報を上位放送局で作成しなければならず、このため同時放送の情報を作成するための専用装置が必要となり、その分設備コストが大きくなってしまう。このため、従来では、アナログ放送とデジタル放送との両者の間でフォーマット変換が可能な装置の開発が強く望まれている。
【０００６】
そこで、この発明の目的は、互いに異なるシステムによる複数の信号を１台の機器で扱えるようにしたシステム変更装置を提供することにある。
【課題を解決するための手段】
【０００７】
この発明は、上記目的を達成するために、以下のように構成される。  
既知のシステムによる運用に必要な第１の運用信号を処理する第１の信号処理部と、この第１の信号処理部に属するシステムより新らしいシステムによる運用に必要な第２の運用信号を処理する第２の信号処理部との間を接続し、第１の運用信号を第２の運用信号のデータフォーマットに変換し、または第２の運用信号を第１の運用信号のデータフォーマットに変換するシステム変換装置であって、第１の運用信号を第２の運用信号に変換し、第２の運用信号を第１の運用信号に変換するために必要なパターン情報を記憶する記憶手段と、記憶手段に記憶されたパターン情報に基づいて、第１の運用信号を第２の運用信号に変換し、または第２の運用信号を第１の運用信号に変換する変換処理手段とを備えるようにしたものである。
【０００８】
この構成によれば、第１の運用信号を第２の運用信号に変換し、第２の運用信号を第１の運用信号に変換するために必要なパターン情報をメモリに記憶しておくことで、パターン情報に基づいて第１の運用信号を第２の運用信号に変換し、または第２の運用信号を第１の運用信号に変換することができる。従って、互いに異なるシステムによる複数の放送信号を１台の装置で扱えるようになる。
【０００９】
記憶手段は、複数のパターン情報を前記第１及び第２の運用信号の処理内容を示す項目ごとに分類して記憶し、変換処理手段は、第１の運用信号または第２の運用信号を入力して処理すべく項目を認識し、この項目に対応するパターン情報を記憶手段から読み出し、この読み出しパターン情報に基づいて、第１の運用信号を第２の運用信号に変換し、または第２の運用信号を第１の運用信号に変換することを特徴とする。
【００１０】
この構成によれば、複数のパターン情報を第１及び第２の運用信号の処理内容を示す項目ごとに分類してメモリに記憶しこれを選択的に読み出せるようにすることで、第１及び第２の運用信号のフォーマット変換に関する複数の処理を実現できる。
【００１１】
第１の運用信号がアナログ放送用の音声信号に対し複数のモードのうちの１つを指定する第１の指定制御信号であり、第２の運用信号がデジタル放送用の音声信号に対し複数のモードのうちの１つを指定する第２の指定制御信号であり、互いにモード数が異なるとき、記憶手段は、第１の指定制御信号を第２の指定制御信号に変換、または第２の指定制御信号を第１の指定制御信号に変換する場合に、アナログ放送用及びデジタル放送用の音声信号で使用可能な共通モードを既定値として設定するためのパターン情報を記憶し、変換処理手段は、第１の指定制御信号を第２の指定制御信号に変換、または第２の指定制御信号を第１の指定制御信号に変換する場合に、記憶手段に記憶されたパターン情報に基づいて、第１の指定制御信号のモードを既定値に変換し、または第２の指定制御信号を既定値に変換することを特徴とする。
【００１２】
この構成によれば、アナログ放送用及びデジタル放送用の音声信号で使用可能な共通モードを既定値として設定するためのパターン情報をメモリに記憶しておくことで、第１の指定制御信号を第２の指定制御信号に変換する際に、第１の指定制御信号のモードを既定値に変換し、また第２の指定制御信号を第１の指定制御信号に変換する際に、第２の指定制御信号のモードを既定値に変換するようにしている。従って、アナログ放送用及びデジタル放送用の音声信号が互いにモード数が異なっても、第１及び第２の指定制御信号のフォーマット変換を実現できる。
【発明の効果】
【００１３】
以上詳述したようにこの発明によれば、互いに異なるシステムによる複数の信号を１つの機器で扱えるようにしたシステム変更装置を提供することができる。
【発明を実施するための最良の形態】
【００１４】
以下、この発明の実施形態について図面を参照して詳細に説明する。  
図１は、この発明の一実施形態となるシステム変更装置が適用される放送番組送出システムの概略構成を示すブロック図である。
【００１５】
このシステムでは、デジタル放送用の下位システム機器１１に対し、デジタル放送用のデジタル上位システム機器１２及びアナログ放送用のアナログ上位システム機器１３が接続されている。
【００１６】
下位システム機器１１は、例えば放送すべきデジタル放送用の音声信号を送出処理するためのものである。
【００１７】
上記デジタル上位システム機器１２は、例えば放送すべきデジタル放送用の音声信号を送出するために必要な指示制御信号または日時情報を下位システム機器１１に出力する。また、上記アナログ上位システム機器１３も上記デジタル上位システム機器１２と同様に、指示制御信号または日時情報を下位システム機器１１に出力する。アナログ放送用の指示制御信号には、音声モード（ステレオ、モノラル）を指定する情報が含まれている。またデジタル放送用の指示制御信号には、音声モード（ステレオ、モノラル、５．１チャンネル）を指定する情報が含まれている。
【００１８】
ところで、下位システム機器１１は、デジタル放送に対応しているので、アナログ上位システム機器１３から出力される指示制御信号または日時情報をそのままでは処理できない。
【００１９】
そこで、本実施形態では、下位システム機器１１とアナログ上位システム機器１３との間に、本発明に係るシステム変更装置としてのインタフェース１４，１５を介在させるようにしている。インタフェース１４は、メモリ１４１に記憶されているパターン変換テーブルに従って、入力されるアナログ放送用の日時情報をデジタル放送用の日時情報にフォーマット変換する。インタフェース１５は、メモリ１５１に記憶されているパターン変換テーブルに従って、入力されるアナログ放送用の指示制御信号をデジタル放送用の指示制御信号にフォーマット変換する。
【００２０】
メモリ１４１，１５１に記憶されるパターン変換テーブルは、図２に示すように、処理内容を示す項目ごとにパターンが分類されている。すなわち、インタフェース１４には、図２中１番目から４番目のパターンが割り当てられ、インタフェース１５には、図２中５番目から７番目のパターンが割り当てられることになる。
【００２１】
すなわち、インタフェース１４は、例えば、入力した日付がＹＹ／ＭＭ／ＤＤとなっていれば、この日付の先頭に既定値「２０」を付加して２０ＹＹ／ＭＭ／ＤＤにフォーマット変換する。
【００２２】
次に、上記構成における動作について説明する。  
放送局内において、アナログ放送システムからデジタル放送システムに変更する場合、ユーザは下位システム機器１１とアナログ上位システム機器１３との間にインタフェース１４，１５を接続したとする。
【００２３】
そうすると、インタフェース１４は、アナログ上位システム機器１３からの日時情報をデジタル放送用の日時情報にフォーマット変換する。また、インタフェース１５は、アナログ上位システム機器１３からの指示制御信号をデジタル放送用の指示制御信号にフォーマット変換する。
【００２４】
上記構成において、インタフェース１４を日本から海外の放送局内に使用したとする。そうすると、インタフェース１４はアナログ上位システム機器１３からの日時情報を入力してその項目を認識する。そして、日時情報がＭＭ／ＤＤ／ＹＹとなっていれば、デジタル放送用の日時情報ＹＹＹＹ／ＭＭ／ＤＤにフォーマット変換する。
【００２５】
また、ユーザがインタフェース１５において、メモリ１５１に記憶されているパターン変換テーブルの既定値を音声信号の「ステレオ」に設定するものとする。
【００２６】
そうすると、インタフェース１５はアナログ上位システム機器１３から出力される指定制御信号のモード「モノラル」を既定値「ステレオ」に変更して下位システム機器１１に出力する。
【００２７】
以上のように上記実施形態では、インタフェース１４にアナログ放送用の日時情報をデジタル放送用の日時情報に変換するためのパターン変換テーブルを記憶したメモリ１４１を設けておき、インタフェース１５にアナログ放送用の指示制御信号をデジタル放送用の指示制御信号に変換するためのパターン変換テーブルを記憶したメモリ１５１を設けておくことで、インタフェース１４，１５において、アナログ上位システム機器１３から出力される指定制御信号または日時情報を、パターン変換テーブルに従って、デジタル放送で統一されたデータフォーマットに変換することができる。
【００２８】
従って、下位システム機器１１をアナログ放送用とデジタル放送用とに別々に備えておく必要がなく、これにより１台の下位システム機器１１をデジタル上位システム機器１２とアナログ上位システム機器１３とによって共用でき、設備コストの低減を図ることができる。
【００２９】
また、上記実施形態では、インタフェース１４，１５において、複数のパターン情報を処理内容を示す項目ごとに分類してメモリ１４１，１５１に記憶しこれを選択的に読み出せるようにすることで、インタフェース１４，１５でフォーマット変換に関する複数の処理を実現できる。
【００３０】
さらに、上記実施形態では、アナログ放送用及びデジタル放送用の音声信号で使用可能な共通モードを既定値として設定するためのパターン情報をインタフェース１５のメモリ１５１に記憶しておくことで、インタフェース１５によりアナログ放送用の指定制御信号をデジタル放送用の指定制御信号に変換する際に、アナログ放送用の指定制御信号のモードを既定値に変換するようにしている。
【００３１】
従って、アナログ放送用及びデジタル放送用の音声信号が互いにモード数が異なるときに、指定制御信号のフォーマット変換をインタフェース１５で実現できる。
【００３２】
なお、この発明は上記実施形態に限定されるものではない。例えば上記実施形態では、アナログ放送用の指示制御信号または日時情報からデジタル放送用の指示制御信号または日時情報へ変換する例について説明した。しかしこれに限ることなく、デジタル放送用の指示制御信号または日時情報からアナログ放送用の指示制御信号または日時情報へ変換するものであってもよい。
【００３３】
また、上記実施形態では、下位システム機器１１とアナログ上位システム機器１３との間にインタフェース１４，１５を設ける例について説明したが、下位システム機器１１及びアナログ上位システム機器１３のいずれか一方にインタフェース１４，１５を内蔵するものであってもよい。
【００３４】
その他、この発明は上記実施形態に限定されるものではなく、種々変形して実施可能である。
【図面の簡単な説明】
【００３５】
【図１】この発明の一実施形態となるシステム変更装置が適用される放送番組送出システムの概略構成を示すブロック図。
【図２】図１に示したメモリに記憶されるパターン変換テーブルの一例を示す図。
【符号の説明】
【００３６】
１１…下位システム機器、１２…デジタル上位システム機器、１３…アナログ上位システム機器、１４，１５…インタフェース、１４１，１５１…メモリ。
【図１】
2007081996.tif 000003
【図２】
2007081996.tif 000004